(57)【要約】【課題】電線とシースとの間の隙間に浸水したとき、浸水箇所の広がりを抑えることができ、性能低下を最小限に止めることができる屋内配線用ケーブルを提供する。【解決手段】電線２と、電線２の外周に設けられたシース３と、電線２とシース３との間に設けられた遮水部材４とを備え、遮水部材４は、浸水したときに電線２とシース３との間の隙間５が充満するように膨張するものである。【選択図】図１
2014232637.tif 000002
【特許請求の範囲】
【請求項１】
電線と、前記電線の外周に設けられたシースと、前記電線と前記シースとの間に設けられた遮水部材とを備え、
前記遮水部材は、浸水したときに前記電線と前記シースとの間の隙間が充満するように膨張することを特徴とする屋内配線用ケーブル。
【請求項２】
前記遮水部材は、テープ、粉末又は押出成形層からなる請求項１記載の屋内配線用ケーブル。
【発明の詳細な説明】
【技術分野】
【０００１】
本発明は、屋内配線用ケーブルに関するものである。
【背景技術】
【０００２】
一般に、屋内配線用ケーブルとしては、絶縁線心たる電線と、電線の外周に被覆されたシースとを備えたものが知られている。電線は、導体の外周にポリ塩化ビニル、ポリエチレン等の樹脂からなる絶縁体を設けて構成される。シースは、ポリ塩化ビニル、クロロプレン等からなる。
【先行技術文献】
【特許文献】
【０００３】
【特許文献１】特開２０００−１９５３４２号公報
【発明の概要】
【発明が解決しようとする課題】
【０００４】
ところで、豪雨や津波などの予期しない災害が発生した場合、一般に浸水の虞を考慮しない屋内配線用ケーブルでは、電線とシースとの間の隙間に水が浸入してしまう虞があった。電線とシースとの間の隙間に水が浸入した場合、浸入した水の水圧に応じて屋内配線用ケーブルの長手方向に浸水箇所が広がり、屋内配線用ケーブルの電気特性等の性能の低下を引き起こすことが予想される。
【０００５】
また、浸水した屋内配線用ケーブルを張り替える際にも、浸水箇所の広がりに応じて張り替え部分が長くなり、工期・復旧費用が増加してしまう虞があった。
【０００６】
しかしながら、従来では、浸水対策を施した屋内配線用ケーブルは存在しないという課題があった。
【０００７】
そこで、本発明は、電線とシースとの間の隙間に浸水したとき、浸水箇所の広がりを抑えることができ、性能低下を最小限に止めることができる屋内配線用ケーブルを提供することを目的とする。
【課題を解決するための手段】
【０００８】
この目的を達成するために創案された本発明は、電線と、前記電線の外周に設けられたシースと、前記電線と前記シースとの間に設けられた遮水部材とを備え、前記遮水部材は、浸水したときに前記電線と前記シースとの間の隙間が充満するように膨張する屋内配線用ケーブルである。
【０００９】
前記遮水部材は、テープ、粉末又は押出成形層からなるとよい。
【発明の効果】
【００１０】
本発明によれば、電線とシースとの間の隙間に浸水したとき、浸水箇所の広がりを抑えることができ、性能低下を最小限に止めることができる屋内配線用ケーブルを提供できる。
【図面の簡単な説明】
【００１１】
【図１】本発明に係る遮水ケーブルの断面図であり、（ａ）は浸水前の状態を示し、（ｂ）は浸水後の状態を示す。
【図２】本発明に係る他の形態の遮水ケーブルの断面説明図である。
【図３】本発明に係るさらに他の形態の遮水ケーブルの断面説明図である。
【発明を実施するための形態】
【００１２】
以下、本発明の好適な実施の形態を添付図面にしたがって説明する。
【００１３】
図１（ａ）に示すように、本実施の形態に係る屋内配線用ケーブル１は、電線２と、電線２の外周に設けられたシース３と、電線２とシース３との間に設けられた遮水部材４とを備え、遮水部材４は、浸水したときに電線２とシース３との間の隙間５が充満するように膨張することを特徴とする。
【００１４】
電線２は、導体６の外周に絶縁体７を設けて構成される。導体６は、単線からなる金属素線、又は複数本の金属素線を撚り合わせた撚り線からなる。金属素線は、銅やアルミニウムからなる。絶縁体７は、ポリ塩化ビニル、ポリエチレン等の樹脂からなる。また、電線２は２本を一組とされている。２本の電線２は、互いに隣接して平行に配置されている。
【００１５】
シース３は、ポリ塩化ビニル、クロロプレン等の樹脂からなる。シース３は、後述する遮水部材４の外周に樹脂を押出被覆することにより形成される。押出被覆は押出機（図示せず）を用いて行われる。
【００１６】
遮水部材４は、テープからなる。
【００１７】
遮水部材４は、全長に亘って所定の厚さ、所定の幅に形成されており、２本の電線２の周りに螺旋状に巻き付けられている。なお、遮水部材４は、２本の電線２に長手方向に沿って添えられるものとしてもよい。この場合、遮水部材４は、幅方向の両縁が接近されるように巻かれて２本の電線２を包むようにするとよい。また、遮水部材４は、それぞれの電線２に螺旋状に巻かれるようにしてもよい。またさらに、遮水部材４は、それぞれの電線２に長手方向に沿って添えられるものとしてもよい。この場合、遮水部材４は、幅方向の両縁が接近されるように巻かれて１本の電線２を包むようにするとよい。また、遮水部材４は、例えば、テープ状の基材に粉末状の高吸水性樹脂（吸水ポリマー）を塗布して形成されるとよい。高吸水性樹脂は、水と接触したとき速やかに膨張すると共に保水する機能を有するものであればよい。
【００１８】
また、遮水部材は、粉末又は押出成形層からなるものとしてもよい。
【００１９】
図２に示すように、粉末からなる遮水部材８は、電線２の外周面に塗布されるとよい。また、遮水部材８は、粉末状の高吸水性樹脂からなるとよい。例えば、遮水部材８は、電線２の外周面に接着剤を介して層状に塗布されるとよい。
【００２０】
図３に示すように、押出成形層からなる遮水部材９は、押出機を用いて電線２の外周に高吸水性樹脂を押し出すことにより形成されるとよい。
【００２１】
次に本実施の形態の作用を述べる。
【００２２】
図１（ｂ）に示すように、電線２とシース３との間に浸水した場合、遮水部材４が浸水した水を吸収し、膨張する。これにより、電線２とシース３との間の隙間５は膨張した遮水部材４によって塞がれる。屋内配線用ケーブル１の長手方向への浸水を止めることができ、浸水被害を最小限に止めることができる。
【００２３】
このように、屋内配線用ケーブル１が、電線２と、電線２の外周に設けられたシース３と、電線２とシース３との間に設けられた遮水部材４とを備え、遮水部材４は、浸水したときに電線２とシース３との間の隙間５が充満するように膨張するものとしたため、電線２とシース３との間の隙間５に浸水したとき、遮水部材４が吸水、膨張して隙間５を塞ぐことができ、浸水箇所の広がりを抑えることができる。そして、屋内配線用ケーブル１の電気的特性等の性能低下を最小限に止めることができる。
【００２４】
また、遮水部材４、８、９は、テープ、粉末又は押出成形層からなるものとしたため、電線２とシース３との間に遮水部材４、８、９を容易に設けることができる。
【００２５】
なお、遮水部材４は、吸水して膨張したときの体積が電線２とシース３との間の隙間５の体積を超えるように量が調節されてもよい。遮水部材４が膨張する力でシース３を膨張させることができ、浸水後に屋内配線用ケーブル１の外観を目視等で確認するのみで、浸水箇所が認識でき、屋内配線用ケーブル１の張り替え作業を簡易なものにできる。また、張り替え作業の工期・復旧費用等の増加も抑えることができる。
【符号の説明】
【００２６】
１  屋内配線用ケーブル
２  電線
３  シース
４  遮水部材
５  隙間
８  遮水部材
９  遮水部材
【図１】
2014232637.tif 000003
【図２】
2014232637.tif 000004
【図３】
2014232637.tif 000005